(57)【要約】【課題】シュノーケルの正常動作を確保しつつ、構造の簡素化とコスト削減を図ること。【解決手段】中空本体とフードカバーとを備え、中空本体は第１の開口端と、それに対向する第２の開口端とを備えており、フードカバーは上記中空本体における上記第１の開口端近傍の位置に枢設され、フードカバーは液体中に沈んでいないときには、その自重によりフードカバーを一位置に位置させて、中空本体における二つの開口端外の外界の空気とシュノーケルとを流体的に連通し、そしてフードカバーの一部分が液体中に沈んだ後には、上記液体が上記フードカバーにもたらす浮力により、上記フードカバーの接合面を上記第１の開口端に密着接合させて、液体が中空本体に浸入するのを防止する。【選択図】図２Ｂ
0003138556.tif 000002
【実用新案登録請求の範囲】
【請求項１】
第１の開口端と、前記第１の開口端に対向する第２の開口端とを有する中空本体と、
前記中空本体における前記第１の開口端近傍に枢設されるとともに、第１の位置から第２の位置にまで枢転可能なフードカバーと、を備えた、シュノーケリングに用いられるシュノーケルの水遮断構造であって、
前記フードカバーは接合面を備えるとともに、前記フードカバーは自重により、前記第１の位置に停止して、外界の空気が前記第１の開口端および前記第２の開口端により前記シュノーケルと流体的に連通し、液体が前記フードカバーに付与する浮力により、前記フードカバーは前記第２の位置に停止するとともに、前記接合面を前記第１の開口端に密着接合させることを特徴とする、
シュノーケルの水遮断構造。
【請求項２】
前記シュノーケルの第２の開口端が前記液体中に沈んでいることを特徴とする、請求項１に記載の水遮断構造。
【請求項３】
前記フードカバーが前記第２の位置にあるとき、その一部分が前記液体中に沈んでいることを特徴とする、請求項１に記載の水遮断構造。
【請求項４】
前記フードカバーは、一部分が前記液体中に沈んでいるとき、前記浮力を生じる密封気室を備えていることを特徴とする、請求項３に記載の水遮断構造。
【請求項５】
前記接合面が前記気室の一側壁を形成するとともに、前記第１の開口端に対向していることを特徴とする、請求項４に記載の水遮断構造。
【請求項６】
前記フードカバーは、一部分が前記液体中に沈んでいるとき、前記浮力を生じる浮き体を備えていることを特徴とする、請求項３に記載の水遮断構造。
【請求項７】
前記浮き体の密度が１．０２ｇ／ｃｍ3未満であることを特徴とする、請求項６に記載の水遮断構造。
【請求項８】
前記接合面が前記浮き体の一側壁を形成するとともに、前記第１の開口端に対向していることを特徴とする、請求項６に記載の水遮断構造。
【請求項９】
前記フードカバーが少なくとも一つの通気口を更に備え、前記接合面が前記第１の開口端から離れたとき、前記通気口を通じて、前記第１の開口端と第２の開口端とが気体的に連通することを特徴とする、請求項１に記載の水遮断構造。
【請求項１０】
前記フードカバーが前記第１の位置と前記第２の位置との間で枢転するとき、その一部分が前記中空本体の外輪郭に沿って運動することを特徴とする、請求項１に記載の水遮断構造。
【請求項１１】
前記第１の開口端および前記接合面の少なくとも一方の上に設けられている密封手段を更に備えたことを特徴とする、請求項１に記載の水遮断構造。
【考案の詳細な説明】
【技術分野】
【０００１】
本考案はシュノーケルに用いられる水遮断構造装置に関し、特にシュノーケリング中に使用されるシュノーケルの水遮断構造装置に関する。
【背景技術】
【０００２】
シュノーケリングの愛好者にとっては、シュノーケルは必要不可欠な装備の一つであり、また遊泳技術の劣っている初級者であっても、シュノーケルを使用することさえマスターすれば、すぐにでもシュノーケリングを楽しむことができる。
したがって製造業者は、より便利で使いやすいシュノーケルを提供できるように、絶えず改良を施している。
【０００３】
シュノーケルにおいては、水遮断構造装置はその重要な構成要素の一つであって、水遮断構造の作用効果は、使用者がシュノーケルを購入する際して考慮する鍵となっている。
水遮断構造はシュノーケルの末端に設けられており、その内部には球状浮きを備え、この球状浮きの作用は空気フロートと同じように、シュノーケルが水中に沈んだとき、球状浮きが上方に向かって浮き、球状浮きに連結されている適当なリンクロッドの設計により、シュノーケルを密封して、海水が浸入しないようにすることで、使用者が手軽に潜水することができるようになっている。
【０００４】
従来技術は、図１Ａおよび図１Ｂに示すように、このようなシュノーケルの水遮断構造の構造では主に本体１０とカバー２０とを備えるとともに、カバー２０の内部に遮断手段３０を設けている。本体１０は中空状のパイプ状をなし、シュノーケル自体の開口にまで伸びている中空の開口１４を有しており、本体１０には、カバー２０を装着する留め具１１、１２、１３が設けられている。カバー２０は椀状をなすとともに、内側に遮断手段３０が設けられている。遮断手段３０は、カバー２０の軸孔に設けられている方向性可動体３１と、上方に設けられている蓋３２と、方向性可動体３１の下方に係止されているフロート３３とを備えている。上記水遮断構造の動作原理は、液体がフロート３３を押し上げて、方向性可動体３１を動かすとともに、蓋３２が開口１４を密封して、シュノーケルにおける水遮断の効果を達成するものである。
【考案の開示】
【考案が解決しようとする課題】
【０００５】
上記した従来技術における水遮断構造では部品点数が多く、組立が煩雑となるばかりか、製造コストも嵩んでしまう。また、従来技術におけるシュノーケルは実際に使用するとき、使用者が潜水する前に水遮断構造が勝手に閉じてしまったり、または水が浸入するといった不具合が発生して、シュノーケルの機能が正常に発揮できないということが多々発生していた。
【０００６】
米国特許第７，０７７，１２７号および第６，９０４，９１０号にはシュノーケルが開示されている。これらシュノーケルにおける水遮断弁は、連結手段に固定されている遮蔽板を備え、この連結手段はシュノーケル上端開口近くに設けられている。シュノーケルが水中に進入し始めると、シュノーケルの浮き手段が水遮断弁の連結手段を動かし、シュノーケルの開口端が水中に沈むと、この接続手段は遮蔽板でシュノーケルの開口を塞ぎ、水遮断効果をもたらす。これら水遮断弁の主な欠点は部品点数が多く、組立も複雑となってしまい、製造業者が製造時にその部品および組立のコストを考慮しなければならない点である。
【０００７】
本考案は以上の点に鑑みてなされたもので、水遮断構造の設計をいかに簡素化して、コストを削減し、シュノーケルの正常動作を確保することにある。
【課題を解決するための手段】
【０００８】
本考案の目的は、液体での浮力と水遮断構造の重量との相反する作用により、シュノーケルの開口を開閉する効果を達成するシュノーケルの水遮断構造を提供するところにある。
【０００９】
本考案の他の目的は、部材を一体成型可能とし、しかも組立または接合の方式により構成され、従来技術における組立が複雑である欠点を排除するのみならず、製造コストを削減できるシュノーケルの水遮断構造を提供するところにある。
【００１０】
本考案の更に他の目的は、新規な水遮断設計により、別途に動力を必要とすることなく、フードカバー自身が直接接合面を自動的に閉じることができ、動作はより確実となり、シュノーケルにおける水遮断の効果を改善することができるシュノーケルの水遮断構造を提供するところにある。
【００１１】
上記目的を達成するために、本考案で開示するシュノーケルの水遮断構造は、中空本体と、フードカバーとを備えている。中空本体自体は二つの対向する開口端を有し、フードカバーのヒンジ部が上記中空本体における上記第１の開口端近傍位置に設けられるとともに、このヒンジ部により位置的に回動される。フードカバーが液体中に沈んでないときは、その自重により、二つの開口端において流体的に連通するが、フードカバーの一部分が液体中に沈むと、上記液体が上記フードカバーに浮力をもたらし、上記フードカバーの接合面が上記第１の開口端に密着接合して、液体の浸入を防止するものである。
【考案の効果】
【００１２】
本考案は、液体での浮力と水遮断構造の重量との相反する作用により、シュノーケルの開口を開閉できることは勿論のこと、部材を一体成型可能とし、しかも組立または接合の方式により構成するので、組立性を改善できて製造コストも削減することができる。
さらに、別途に動力を必要とすることなく、フードカバー自身が直接接合面を自動的に閉じることができるので、閉動作がより確実となり、シュノーケルにおける水遮断の効果を改善することができる。
【考案を実施するための最良の形態】
【００１３】
本考案の上記目的、技術的特徴および長所がより明確に理解しやすくなるように、下記で好ましい実施例に図面を併せて詳細な説明を行う。
図２Ａおよび図２Ｂを併せて参照されたい。このうち、図２Ｂは本考案の好ましい実施例における水遮断構造４０の立体概略図であり、図２Ａは図２Ｂにおける水遮断構造４０の断面概略図である。
図中に示す水遮断構造４０は、中空本体４１と、フードカバー５０とを備えている。この水遮断構造の特徴の一つは、それが一体成型されているか、または大部分の構成要素の配設方式が組立または接合によって構成されており、従来技術における組立が複雑である欠点を排除するのみならず、製造コストを削減できるところである。
【００１４】
中空本体４１は、中空本体４１の上端部に設けられて、中空本体４１において流体の外界との連通をなす第１の開口端４１１と、中空本体４１の下端部に設けられて、使用者が使用するシュノーケルに連結される、第１の開口端４１１に対向した第２の開口端４１２とを備えている。
【００１５】
フードカバー５０はヒンジ部５１と、接合面５２、密封気室５３と、通気口５４とを備えている。詳細に説明すれば、フードカバー５０のヒンジ部５１は中空本体４１における第１の開口端４１１近傍位置に設けられて、ヒンジ部５１によりフードカバー５０を枢転させることができるようになっている。また、接合面５２の外形は、中空本体４１の第１の開口端４１１を密封して、液体が第１の開口端４１１からシュノーケルに浸入するのを防止できるように、第１の開口端４１１の輪郭に適合するようになっている。本実施例において、接合面５２はフードカバー５０自体の一部を構成している。または、その他実施例においては、接合面５２は同時に密封気室５３の一側壁を形成するとともに、上記第１の開口端４１１に対向している。当業者であれば接合面５２の位置を変更することができるので、ここではこれを限定しない。
【００１６】
一方、密封気室５３の全体の密度は液体に密度未満であり、密封気室５３が液体中に沈むと、液体により生じた浮力を得て、フードカバー５０がヒンジ部５１により枢転し、中空本体４１の第１の開口端４１１に密着接合する。フードカバー５０が液体中に沈んでいないとき、または一部分のみが液体中に沈んでフードカバー５０が中空本体４１の第１の開口端４１１を密封していないときには、第１の開口端４１１外の外界の空気は通気口５４を通じて中空本体４１に流入するとともに、第２の開口端４１２を介してシュノーケル中に流れ込む。
【００１７】
水遮断構造４０の動作原理を示す図２Ａおよび図３Ａを併せて参照されたい。本考案の水遮断構造４０におけるフードカバー５０が第１の位置と第２の位置との間で枢転するとき、その一部分は中空本体４１の外輪郭に沿って運動し、水遮断構造４０がその機能をスムースに行えるようにしている。詳細に説明すれば、図２Ａは、水遮断構造４０におけるフードカバー５０が液体中に沈んでいないとき、フードカバー５０は自重により、第１の位置に停止し、上記外界の空気が第１の開口端４１１および第２の開口端４１２によりシュノーケルと流体的に連通することで、使用者は呼吸することができるようになることを示している。そして図３Ａに示すように、フードカバー５０における密封気室５３の一部分が液体中に沈むと、密封気室５３は液体がもたらす浮力により、フードカバー５０をヒンジ部５１で枢転させるとともに第２の位置に停止させて、第２の位置に停止したフードカバー５０はちょうど接合面５２を第１の開口端４１１に密着接合させて、速やかに水遮断の効果を達成することができる。
【００１８】
水遮断構造４０が海水中に沈んだときを例にとれば、図３Ｂに示すように、水遮断構造４０のフードカバー５０が海水中に沈んだとき、海水の密度は実質的に１．０２〜１．０７ｇ／ｃｍ3であり、一方で本考案における密封気室５３の全体の密度が海水未満であるため、密封気室５３は浮力により海水面に浮いてフードカバー５０を回動させるとともに、ひいては接合面５２を第１の開口端４１１に密着接合させる。反対に、本考案の水遮断構造４０におけるフードカバー５０が海水面から離れると、密封気室５３は自重により接合面５２を第１の開口端４１１から離すように動き、このときに外界の空気が通気口５４を通じて水遮断構造４０の中空本体４１における二つの開口端４１１、４１２に流入するとともに、外界の空気がシュノーケルとで気体的に連通して、使用者は呼吸することができる。
【００１９】
本考案の他の実施例において、図４に示すように水遮断構造４０のフードカバー５０は浮き体５５を備えている。本実施例において、浮き体５５は密度が１．０２ｇ／ｃｍ3未満である材質製であり、例えば上記浮き体５５は木、スポンジおよびその組合わせの群から選ばれる材質であって、当業者であれば、低密度のその他材質で代用することができるので、ここではこれを限定しない。また、本実施例における浮き体５５はその構造が密閉型であるか否かに限定せず、設計によりこれを決めてもよい。本実施例における接合面５２はフードカバー５０自体を構成する一部分とするか、または接合面５２は同時に上記浮き体５５の一側壁を形成するとともに、上記第１の開口端に対向してもよい。
【００２０】
浮き体５５の一部分が上記液体中に沈むと、浮力が発生して、浮き体５５が回動するとともに第１の開口端４１１に密着接合して、水遮断の効果を達成する。浮き体５５が液体から離れると、自重により接合面５２を第１の開口端４１１から離すように動き、外界の空気が水遮断構造４０の中空本体４１に流入するようになる。
【００２１】
また、本考案の好ましい実施例において、図２Ａに示すように、本考案の水遮断構造４０では接合面５２上に更に密封手段５２１を設けることができる。これにより第１の開口端４１１と接合面５２とが確実に密着接合される。しかしこれはこの中の実施例の一つに過ぎず、当業者の知識により、密封手段５２１は、例えばリング体（図示しない）を設けて、接合面５２を第１の開口端４１１に密着接合させるという具合に第１の開口端４１１に設けてもよい。
【００２２】
上記の実施例は、単に本考案の実施態様を例示し、本考案の技術的特徴を説明するためのみのものであって、本考案の保護範囲を限定するためのものではない。当業者が容易に完成した改変または均等的なアレンジはいずれも本考案が権利主張する範囲に含まれるものであり、本考案の権利保護範囲は実用新案登録請求の範囲を基準と見なすべきである。
【図面の簡単な説明】
【００２３】
【図１Ａ】従来技術の構成要素の立体概略図である。
【図１Ｂ】従来技術の立体概略図である。
【図２Ａ】本考案におけるフードカバーが液体中に沈んでいないときの断面概略図である。
【図２Ｂ】本考案におけるフードカバーが液体中に沈んでいないときの立体概略図である。
【図３Ａ】本考案におけるフードカバーが液体中に沈んだときの断面概略図である。
【図３Ｂ】本考案におけるフードカバーが液体中に沈んだときの立体概略図である。
【図４】本考案の他の実施例におけるフードカバーが液体中に沈んだときの断面概略図である。
【符号の説明】
【００２４】
１０    本体
１１〜１３    留め具
１４    開口
２０    カバー
３０    遮断手段
３１    方向性可動体
３２    蓋
３３    フロート
４０    水遮断構造
４１    中空本体
４１１    第１の開口端
４１２    第２の開口端
５０    フードカバー
５１    ヒンジ部
５２    接合面
５２１    密封手段
５３    密封気室
５４    通気口
５５    浮き体
【図１Ａ】
0003138556.tif 000003
【図１Ｂ】
0003138556.tif 000004
【図２Ａ】
0003138556.tif 000005
【図２Ｂ】
0003138556.tif 000006
【図３Ａ】
0003138556.tif 000007
【図３Ｂ】
0003138556.tif 000008
【図４】
0003138556.tif 000009